(57)【特許請求の範囲】
【請求項１】
マルチメディア品質の監視方法であって、
マルチメディアの参照ビデオ品質と参照オーディオ品質に従って前記マルチメディアの参照品質を決定するステップと、
前記マルチメディアのマルチメディア歪み品質を取得するステップと、
前記マルチメディアの前記参照品質と前記マルチメディア歪み品質に従って前記マルチメディアの品質を決定するステップと、
を含み、
前記マルチメディア歪み品質は、パケット紛失に起因するマルチメディア歪み品質および再バッファリングに起因するマルチメディア歪み品質のうち少なくとも１つを含み、
パケット紛失に起因するマルチメディア歪み品質は、
前記マルチメディアのビデオ内のパケットが紛失した後のパケット紛失に起因するビデオ品質と、前記マルチメディアのオーディオ内のパケットが紛失した後のパケット紛失に起因するオーディオ品質のうち少なくとも１つを決定するステップであって、パケット紛失に起因する前記ビデオ品質は前記参照ビデオ品質とビデオ・パケット紛失率に従って決定され、パケット紛失に起因する前記オーディオ品質は、前記参照オーディオ品質とオーディオ・パケット紛失率に従って決定される、ステップと、
パケット紛失に起因する前記ビデオ品質および／またはパケット紛失に起因する前記オーディオ品質のうち少なくとも１つに従って前記パケット紛失に起因するマルチメディア歪み品質を取得するステップと、
により取得され、
再バッファリングに起因するマルチメディア歪み品質は、
送信プロセス中の前記マルチメディアの再バッファリング・パラメータに従って前記再バッファリングに起因するマルチメディア歪み品質を取得するステップ
により取得され、
パケット紛失に起因する前記ビデオ品質および／またはパケット紛失に起因する前記オーディオ品質に従って前記パケット紛失に起因するマルチメディア歪み品質を取得するステップは、
パケット紛失に起因する前記ビデオ品質と前記参照ビデオ品質に従ってパケット紛失に起因するビデオ歪み品質を決定し、パケット紛失に起因する前記オーディオ品質と前記参照オーディオ品質に従ってオーディオ・パケット紛失歪み品質を決定するステップと、
前記パケット紛失に起因するビデオ歪み品質と前記参照ビデオ品質に従ってビデオ・パケット紛失歪み因子を決定し、前記オーディオ・パケット紛失歪み品質と前記参照オーディオ品質に従ってオーディオ・パケット紛失歪み因子を決定するステップと、
前記ビデオ・パケット紛失歪み因子と前記オーディオ・パケット紛失歪み因子に従ってマルチメディアのパケット紛失歪み因子を決定するステップと、
前記マルチメディアのパケット紛失歪み因子と前記マルチメディアの前記参照品質に従って前記パケット紛失に起因するマルチメディア歪み品質を決定するステップと、
を含み、
パケット紛失に起因する前記ビデオ品質と前記参照ビデオ品質に従ってパケット紛失に起因するビデオ歪み品質を決定し、パケット紛失に起因する前記オーディオ品質と前記参照オーディオ品質に従ってオーディオ・パケット紛失歪み品質を決定するステップは、
【数１】
0006052831.tif 000055
に従って前記パケット紛失に起因するビデオ歪み品質V_DPを決定するステップであって、V_MOSCは前記参照ビデオ品質であり、Video_MOSはパケット紛失に起因する前記ビデオ品質であるステップと、
【数２】
0006052831.tif 000056
に従って前記オーディオ・パケット紛失歪み品質を決定するステップであって、A_MOSCは前記参照オーディオ品質であり、Audio_MOSはパケット紛失に起因する前記オーディオ品質であるステップと、
を含む、方法。
【請求項２】
前記マルチメディアの参照ビデオ品質と参照オーディオ品質に従ってマルチメディアの参照品質を決定するステップは、
【数３】
0006052831.tif 000057
に従って前記マルチメディアの前記参照品質を決定するステップであって、AV_MOSCは前記マルチメディアの前記参照品質であり、V_MOSCは前記参照ビデオ品質であり、A_MOSCは前記参照オーディオ品質であり、av1、av2、av3、およびav4は定数であるステップ
を含む、請求項１に記載の方法。
【請求項３】
前記マルチメディアの参照品質を前記マルチメディアの参照ビデオ品質と参照オーディオ品質に従って決定するステップは、
パケット紛失に起因するビデオ歪み品質と前記参照ビデオ品質に従ってビデオ・パケット紛失歪み因子を決定し、前記オーディオ・パケット紛失歪み品質と前記参照オーディオ品質に従ってオーディオ・パケット紛失歪み因子を決定するステップは、
【数４】
0006052831.tif 000058
もしくは
【数５】
0006052831.tif 000059
に従って前記ビデオ・パケット紛失歪み因子AV_DFVを決定するステップであって、V_MOSCは前記参照ビデオ品質であり、V_DPは前記パケット紛失に起因するビデオ歪み品質であるステップ、
および／または
【数６】
0006052831.tif 000060
もしくは
【数７】
0006052831.tif 000061
に従って前記オーディオ・パケット紛失歪み因子AV_DFAを決定するステップであって、A_MOSCは前記参照オーディオ品質であり、A_DPは前記オーディオ・パケット紛失歪み品質であるステップ
を含む、請求項１に記載の方法。
【請求項４】
前記ビデオ・パケット紛失歪み因子と前記オーディオ・パケット紛失歪み因子に従ってマルチメディアのパケット紛失歪み因子を決定するステップは、
【数８】
0006052831.tif 000062
または
【数９】
0006052831.tif 000063
に従って前記マルチメディアのパケット紛失歪み因子AV_DFを決定するステップであって、AV_DFAは前記オーディオ・パケット紛失歪み因子であり、AV_DFVは前記ビデオ・パケット紛失歪み因子であり、av5、av6およびav7は定数であるステップ
を含む、請求項１乃至３の何れか１項に記載の方法。
【請求項５】
前記マルチメディアのパケット紛失歪み因子と前記マルチメディアの前記参照品質に従って前記パケット紛失に起因するマルチメディア歪み品質を決定するステップは、
【数１０】
0006052831.tif 000064
に従って前記パケット紛失に起因するマルチメディア歪み品質AV_DPを決定するステップであって、AV_MOSCは前記マルチメディアの前記参照品質であり、MOS_MINは前記マルチメディアの最低品質、AV_DFは前記マルチメディアのパケット紛失歪み因子であるステップ  を含む、請求項１乃至４の何れか１項に記載の方法。
【請求項６】
前記再バッファリング・パラメータは、再バッファリングの数、再バッファリング期間、複数の再バッファリングの間の影響因子、およびマルチメディア初期品質のうち１つまたは任意の組合せを含む、請求項１乃至５の何れか１項に記載の方法。
【請求項７】
送信プロセス中の前記マルチメディアの再バッファリング・パラメータに従って前記再バッファリングに起因するマルチメディア歪み品質を取得するステップは、
【数１１】
0006052831.tif 000065
に従って前記再バッファリングに起因するマルチメディア歪み品質AV_DRを取得するステップであって、Audiovisual_Qualityは前記マルチメディア初期品質であり、NRは再バッファリングの数であり、ARLは前記再バッファリング期間であり、MRFは複数の再バッファリングの間の前記影響因子であり、av7、av8、av9、av10、av11、およびav12は定数であるステップを含む、請求項６に記載の方法。
【請求項８】
前記マルチメディアの前記参照品質と前記マルチメディア歪み品質に従って前記マルチメディアの品質を決定するステップは、
前記マルチメディアの前記参照品質と前記パケット紛失に起因するマルチメディア歪み品質に従って前記パケット紛失に起因するマルチメディア品質を決定するステップと、
前記マルチメディアの前記参照品質または前記パケット紛失に起因するマルチメディア品質、および再バッファリングに起因する前記マルチメディア歪み品質に従って前記マルチメディアの品質を決定するステップと、
を含む、請求項７に記載の方法。
【請求項９】
前記マルチメディアの前記参照品質とパケット紛失に起因する前記マルチメディア歪み品質に従ってパケット紛失に起因する前記マルチメディア品質を決定するステップは、
【数１２】
0006052831.tif 000066
に従ってパケット紛失に起因する前記マルチメディア品質AV_MOSPを決定するステップであって、AV_MOSCは前記マルチメディアの前記参照品質であり、AV_DPは前記パケット紛失に起因するマルチメディア歪み品質であるステップを含む、請求項８に記載の方法。
【請求項１０】
前記マルチメディアの前記参照品質または前記パケット紛失に起因するマルチメディア品質、および再バッファリングに起因する前記マルチメディア歪み品質に従って前記マルチメディアの品質を決定するステップは、
【数１３】
0006052831.tif 000067
に従って前記マルチメディアの品質AV_MOSRを決定するステップであって、Audiovisual_Qualityは前記マルチメディアの前記参照品質またはパケット紛失に起因する前記マルチメディア品質であり、AV_DRは再バッファリングに起因する前記マルチメディア歪み品質であるステップを含む、請求項８または９に記載の方法。
【請求項１１】
マルチメディアの参照ビデオ品質と参照オーディオ品質に従って前記マルチメディアの参照品質を決定するように構成された第１の決定モジュールと、
前記マルチメディアのマルチメディア歪み品質を取得するように構成された第２の決定モジュールと、
前記マルチメディアの前記参照品質と前記マルチメディア歪み品質に従って前記マルチメディアの品質を決定するように構成された第３の決定モジュールと、
を備え、
前記マルチメディア歪み品質は、パケット紛失に起因するマルチメディア歪み品質および再バッファリングに起因するマルチメディア歪み品質のうち少なくとも１つを含み、前記第２の決定モジュールは特に、
前記マルチメディアのビデオ内のパケットが紛失した後のパケット紛失に起因するビデオ品質と、前記マルチメディアのオーディオ内のパケットが紛失した後のパケット紛失に起因するオーディオ品質のうち少なくとも１つを決定し、パケット紛失に起因する前記ビデオ品質および／またはパケット紛失に起因する前記オーディオ品質のうち少なくとも１つに従って前記パケット紛失に起因するマルチメディア歪み品質を取得し、かつ／または、送信プロセス中の前記マルチメディアの再バッファリング・パラメータに従って前記再バッファリングに起因するマルチメディア歪み品質を取得するように構成され、パケット紛失に起因する前記ビデオ品質は前記参照ビデオ品質とビデオ・パケット紛失率に従って決定され、パケット紛失に起因する前記オーディオ品質は、前記参照オーディオ品質とオーディオ・パケット紛失率に従って決定され、
前記第２の決定モジュールは特に、パケット紛失に起因する前記ビデオ品質と前記参照ビデオ品質に従ってパケット紛失に起因するビデオ歪み品質を決定し、パケット紛失に起因する前記オーディオ品質と前記参照オーディオ品質に従ってオーディオ・パケット紛失歪み品質を決定し、前記パケット紛失に起因するビデオ歪み品質と前記参照ビデオ品質に従ってビデオ・パケット紛失歪み因子を決定し、前記オーディオ・パケット紛失歪み品質と前記参照オーディオ品質に従ってオーディオ・パケット紛失歪み因子を決定し、前記ビデオ・パケット紛失歪み因子と前記オーディオ・パケット紛失歪み因子に従ってマルチメディアのパケット紛失歪み因子を決定し、前記マルチメディアのパケット紛失歪み因子と前記マルチメディアの前記参照品質に従って前記パケット紛失に起因するマルチメディア歪み品質を決定するように構成され、
前記第２の決定モジュールは特に、
【数１４】
0006052831.tif 000068
に従って前記パケット紛失に起因するビデオ歪み品質V_DPを決定し、
【数１５】
0006052831.tif 000069
に従って前記オーディオ・パケット紛失歪み品質A_DPを決定する
ように構成され、
V_MOSCは前記参照ビデオ品質であり、Video_MOSはパケット紛失に起因する前記ビデオ品質であり、A_MOSCは前記参照オーディオ品質であり、Audio_MOSはパケット紛失に起因する前記オーディオ品質である、
マルチメディア品質監視装置。
【請求項１２】
前記第１の決定モジュールは特に、
【数１６】
0006052831.tif 000070
に従って前記マルチメディアの前記参照品質を決定するように構成され、AV_MOSCは前記マルチメディアの前記参照品質であり、V_MOSCは前記参照ビデオ品質であり、A_MOSCは前記参照オーディオ品質であり、av1、av2、av3、およびav4は定数である、請求項１１に記載の装置。
【請求項１３】
前記第２の決定モジュールは特に、
【数１７】
0006052831.tif 000071
または
【数１８】
0006052831.tif 000072
に従って前記ビデオ・パケット紛失歪み因子AV_DFVを決定し、
かつ／または、
【数１９】
0006052831.tif 000073
もしくは
【数２０】
0006052831.tif 000074
に従って前記オーディオ・パケット紛失歪み因子AV_DFAを決定する、
ように構成され、
V_MOSCは前記参照ビデオ品質であり、V_DPはパケット紛失に起因する前記ビデオ歪み品質であり、A_MOSCは前記参照オーディオ品質であり、A_DPは前記オーディオ・パケット紛失歪み品質である、
請求項１１または１２に記載の装置。
【請求項１４】
前記第２の決定モジュールは特に、
【数２１】
0006052831.tif 000075
または
【数２２】
0006052831.tif 000076
に従って前記マルチメディアのパケット紛失歪み因子AV_DFを決定するように構成され、
AV_DFAは前記オーディオ・パケット紛失歪み因子であり、AV_DFVは前記ビデオ・パケット紛失歪み因子であり、av5、av6およびav7は定数である、
請求項１１乃至１３の何れか１項に記載の装置。
【請求項１５】
前記第２の決定モジュールは特に、
【数２３】
0006052831.tif 000077
に従って前記パケット紛失に起因するマルチメディア歪み品質AV_DPを決定するように構成され、AV_MOSCは前記マルチメディアの前記参照品質であり、MOS_MINは前記マルチメディアの最低品質であり、AV_DFは前記マルチメディアのパケット紛失歪み因子である、請求項１１乃至１４の何れか１項に記載の装置。
【請求項１６】
前記再バッファリング・パラメータは、再バッファリングの数、再バッファリング期間、複数の再バッファリングの間の影響因子、およびマルチメディア初期品質のうち１つまたは任意の組合せを含む、請求項１１乃至１５の何れか１項に記載の装置。
【請求項１７】
前記第２の決定モジュールは特に、
【数２４】
0006052831.tif 000078
に従って、前記再バッファリングに起因するマルチメディア歪み品質AV_DRを取得するように構成され、Audiovisual_Qualityは前記マルチメディア初期品質であり、NRは再バッファリングの数であり、ARLは前記再バッファリング期間であり、MRFは複数の再バッファリングの間の前記影響因子であり、av7、av8、av9、av10、av11、およびav12は定数である、請求項１６に記載の装置。
【請求項１８】
前記第３の決定モジュールは特に、
前記マルチメディアの前記参照品質と前記パケット紛失に起因するマルチメディア歪み品質に従って前記パケット紛失に起因するマルチメディア品質を決定し、
前記マルチメディアの前記参照品質または前記パケット紛失に起因するマルチメディア品質、および再バッファリングに起因する前記マルチメディア歪み品質に従って前記マルチメディアの品質を決定する
ように構成された、請求項１７に記載の装置。
【請求項１９】
前記第３の決定モジュールは特に、
【数２５】
0006052831.tif 000079
に従ってパケット紛失に起因する前記マルチメディア品質AV_MOSPを決定するように構成され、AV_MOSCは前記マルチメディアの前記参照品質であり、AV_DPはパケット紛失に起因する前記マルチメディア歪み品質である、請求項１８に記載の装置。
【請求項２０】
前記第３の決定モジュールは特に、
【数２６】
0006052831.tif 000080
に従って前記マルチメディアの前記品質AV_MOSRを決定するように構成され、Audiovisual_Qualityは前記マルチメディアの前記参照品質またはパケット紛失に起因する前記マルチメディア品質であり、AV_DRは再バッファリングに起因する前記マルチメディア歪み品質である、請求項１８または１９に記載の装置。
【請求項２１】
マルチメディアを受信するように構成された受信モジュールを備え、さらに、請求項１１乃至２０の何れか１項に記載のマルチメディア品質監視装置を備えた、端末。
【請求項２２】
マルチメディアを受信するように構成された受信器を備え、さらに、請求項１乃至１０の何れか１項に記載のマルチメディア品質監視方法を実行するように構成されたプロセッサを備えた、端末。
【請求項２３】
マルチメディアを受信するように構成された受信モジュールを備え、請求項１１乃至２０の何れか１項に記載のマルチメディア品質監視装置を備えた、ネットワーク装置。
【請求項２４】
マルチメディアを受信するように構成された受信器を備え、請求項１乃至１０の何れか１項に記載のマルチメディア品質監視方法を実行するように構成されたプロセッサをさらに備えた、ネットワーク装置。
【請求項２５】
コンピュータに請求項１乃至１０の何れか１項に記載の方法を実行させるプログラムを記録した、コンピュータ可読記録媒体。
【発明の詳細な説明】
【技術分野】
【０００１】
本発明は情報技術の分野に関し、特に、マルチメディア品質監視の方法および装置に関する。
【背景技術】
【０００２】
ネットワーク技術の発展と新時代のマルチメディアの出現により、ビデオ・オン・デマンド、ウェブ・テレビ、ビデオ電話等がブロードバンド・ネットワークの主要なサービスとなった。マルチメディア・サービスでは、データ量が多く、リアルタイム性能の要求が強く、ユーザの感度が高い。したがって、マルチメディア品質の監視が、マルチメディア通信機器の製造者や運用者にとって非常に重要である。
【発明の概要】
【発明が解決しようとする課題】
【０００３】
先行技術では、先ずマルチメディアのオーディオ品質とビデオ品質が別々に取得され、次に、当該２種類の品質を用いてマルチメディア品質を取得する。しかし、パケット紛失等のようなケースがマルチメディアで発生すると、既存の方法でパケット紛失に起因するマルチメディアの歪みを反映するのは困難であり、その結果、マルチメディア品質の監視結果が不正確になる。
【課題を解決するための手段】
【０００４】
本発明の諸実施形態では、マルチメディア品質監視結果の正確性を高めるための、マルチメディア品質監視の方法および装置を提供する。
【０００５】
第１の態様によれば、本発明の１実施形態では、マルチメディアの参照ビデオ品質と参照オーディオ品質に従ってマルチメディアの参照品質を決定するステップと、マルチメディアのビデオ歪みおよび／またはオーディオ歪みが発生した後のマルチメディア歪み品質を取得するステップと、マルチメディアの参照品質とマルチメディア歪み品質に従ってマルチメディアの品質を決定するステップとを含む、マルチメディア品質監視方法を提供する。
【０００６】
当該第１の態様の可能な実装方式では、マルチメディアの参照ビデオ品質と参照オーディオ品質に従ってマルチメディアの参照品質を決定するステップは、
【０００７】
【数１】
0006052831.tif 000002
【０００８】
に従ってマルチメディアの参照品質を決定するステップであって、AV_MOSCはマルチメディアの参照品質であり、V_MOSCは参照ビデオ品質であり、A_MOSCは参照オーディオ品質であり、av1、av2、av3、およびav4は定数であるステップを含む。
【０００９】
当該第１の態様の別の可能な実装方式では、マルチメディア歪み品質は、パケット紛失に起因するマルチメディア歪み品質および／または再バッファリングに起因するマルチメディア歪み品質を含み、マルチメディアのビデオ歪みおよび／またはオーディオ歪みが発生した後のマルチメディア歪み品質を取得するステップは、参照ビデオ品質とビデオ・パケット紛失率に従って、マルチメディアのビデオ内のパケットが紛失した後のパケット紛失に起因するビデオ品質を決定し、かつ／または、参照オーディオ品質とオーディオ・パケット紛失率に従って、マルチメディアのオーディオ内のパケットが紛失した後のパケット紛失に起因するオーディオ品質を決定するステップと、パケット紛失に起因するビデオ品質および／またはパケット紛失に起因するオーディオ品質に従ってパケット紛失に起因するマルチメディア歪み品質を取得するステップと、および／または送信プロセス中のマルチメディアの再バッファリング・パラメータに従って再バッファリングに起因するマルチメディア歪み品質を取得するステップとを含む。
【００１０】
当該第１の態様の別の可能な実装方式では、パケット紛失に起因するビデオ品質および／またはパケット紛失に起因するオーディオ品質に従ってパケット紛失に起因するマルチメディア歪み品質を取得するステップは、パケット紛失に起因するビデオ品質と参照ビデオ品質に従ってパケット紛失に起因するビデオ歪み品質を決定するステップと、パケット紛失に起因するオーディオ品質と参照オーディオ品質に従ってオーディオ・パケット紛失歪み品質を決定するステップと、パケット紛失に起因するビデオ歪み品質と参照ビデオ品質に従ってビデオ・パケット紛失歪み因子を決定し、オーディオ・パケット紛失歪み品質と参照オーディオ品質に従ってオーディオ・パケット紛失歪み因子を決定するステップと、ビデオ・パケット紛失歪み因子とオーディオ・パケット紛失歪み因子に従ってマルチメディアのパケット紛失歪み因子を決定するステップと、マルチメディアのパケット紛失歪み因子とマルチメディアの参照品質に従ってパケット紛失に起因するマルチメディア歪み品質を決定するステップとを含む。
【００１１】
当該第１の態様のさらに別の可能な実装方式では、パケット紛失に起因するビデオ品質と参照ビデオ品質に従ってパケット紛失に起因するビデオ歪み品質を決定し、パケット紛失に起因するオーディオ品質と参照オーディオ品質に従ってオーディオ・パケット紛失歪み品質を決定するステップは、
【００１２】
【数２】
0006052831.tif 000003
【００１３】
に従ってパケット紛失に起因するビデオ歪み品質V_DPを決定するステップであって、V_MOSCは参照ビデオ品質であり、Video_MOSはパケット紛失に起因するビデオ品質であるステップと、
【００１４】
【数３】
0006052831.tif 000004
【００１５】
に従ってオーディオ・パケット紛失歪み品質A_DPを決定するステップであって、A_MOSCは参照オーディオ品質であり、Audio_MOSはパケット紛失に起因するオーディオ品質であるステップとを含む。
【００１６】
当該第１の態様のさらに別の可能な実装方式では、パケット紛失に起因するビデオ歪み品質と参照ビデオ品質に従ってビデオ・パケット紛失歪み因子を決定し、オーディオ・パケット紛失歪み品質と参照オーディオ品質に従ってオーディオ・パケット紛失歪み因子を決定するステップは、
【００１７】
【数４】
0006052831.tif 000005
【００１８】
または
【００１９】
【数５】
0006052831.tif 000006
【００２０】
に従ってビデオ・パケット紛失歪み因子AV_DFVを決定するステップであって、V_MOSCは参照ビデオ品質であり、V_DPはパケット紛失に起因するビデオ歪み品質であるステップ、および／または、
【００２１】
【数６】
0006052831.tif 000007
【００２２】
または
【００２３】
【数７】
0006052831.tif 000008
【００２４】
に従ってオーディオ・パケット紛失歪み因子AV_DFAを決定するステップであって、A_MOSCは参照オーディオ品質であり、A_DPはオーディオ・パケット紛失歪み品質であるステップとを含む。
【００２５】
当該第１の態様の別の可能な実装方式では、ビデオ・パケット紛失歪み因子とオーディオ・パケット紛失歪み因子に従ってマルチメディアのパケット紛失歪み因子を決定するステップは、
【００２６】
【数８】
0006052831.tif 000009
【００２７】
または
【００２８】
【数９】
0006052831.tif 000010
【００２９】
に従ってマルチメディアのパケット紛失歪み因子AV_DFを決定するステップであって、AV_DFAはオーディオ・パケット紛失歪み因子であり、AV_DFVはビデオ・パケット紛失歪み因子であり、av5、av6およびav7は定数であるステップを含む。
【００３０】
当該第１の態様のさらに別の可能な実装方式では、マルチメディアのパケット紛失歪み因子とマルチメディアの参照品質に従ってパケット紛失に起因するマルチメディア歪み品質を決定するステップは、
【００３１】
【数１０】
0006052831.tif 000011
【００３２】
に従ってパケット紛失に起因するマルチメディア歪み品質AV_DPを決定するステップであって、AV_MOSCはマルチメディアの参照品質であり、MOS_MINはマルチメディアの最低品質であり、AV_DFはマルチメディアのパケット紛失歪み因子であるステップを含む。
【００３３】
当該第１の態様の別の可能な実装方式では、再バッファリング・パラメータは、再バッファリングの数、再バッファリング期間、複数の再バッファリングの間の影響因子、およびマルチメディア初期品質のうち１つまたは任意の組合せを含む。
【００３４】
当該第１の態様のさらに別の可能な実装方式では、送信プロセス中のマルチメディアの再バッファリング・パラメータに従って再バッファリングに起因するマルチメディア歪み品質を取得するステップは、
【００３５】
【数１１】
0006052831.tif 000012
【００３６】
に従って再バッファリングに起因するマルチメディア歪み品質を取得するステップであって、Audiovisual_Qualityははマルチメディア初期品質であり、NRは再バッファリングの数であり、ARLは再バッファリング期間であり、MRFは複数の再バッファリングの間の影響因子であり、av7乃至av12は定数であるステップを含む。
【００３７】
当該第１の態様の別の可能な実装方式では、マルチメディアの参照品質とマルチメディア歪み品質に従ってマルチメディアの品質を決定するステップは、マルチメディアの参照品質とパケット紛失に起因するマルチメディア歪み品質に従ってパケット紛失に起因するマルチメディア品質を決定するステップと、マルチメディアの参照品質またはパケット紛失に起因するマルチメディア品質、および再バッファリングに起因する歪み品質に従ってマルチメディアの品質を決定するステップを含む。
【００３８】
当該第１の態様の別の可能な実装方式では、マルチメディアの参照品質とパケット紛失に起因するマルチメディア歪み品質に従ってパケット紛失に起因するマルチメディア品質を決定するステップは、
【００３９】
【数１２】
0006052831.tif 000013
【００４０】
に従ってパケット紛失に起因するマルチメディア品質AV_MOSPを決定するステップであって、AV_MOSCはマルチメディアの参照品質であり、AV_DPはパケット紛失に起因するマルチメディア歪み品質であるステップを含む。
【００４１】
当該第１の態様の別の可能な実装方式では、マルチメディアの参照品質またはパケット紛失に起因するマルチメディア品質、および再バッファリングに起因する歪み品質に従ってマルチメディアの品質を決定するステップは、
【００４２】
【数１３】
0006052831.tif 000014
【００４３】
に従ってマルチメディアの品質AV_MOSRを決定するステップであって、Audiovisual_Qualityはマルチメディアの参照品質またはパケット紛失に起因するマルチメディア品質であり、AV_DRは再バッファリングに起因する歪み品質であるステップを含む。
【００４４】
さらに別の態様によれば、本発明の１実施形態では、マルチメディアの参照ビデオ品質と参照オーディオ品質に従ってマルチメディアの参照品質を決定するように構成された第１の決定モジュールと、マルチメディアのビデオ歪みおよび／またはオーディオ歪みが発生した後のマルチメディア歪み品質を取得するように構成された第２の決定モジュールと、マルチメディアの参照品質とマルチメディア歪み品質に従ってマルチメディアの品質を決定するように構成された第３の決定モジュールとを備えたマルチメディア品質監視装置を提供する。
【００４５】
第２の態様の可能な実装方式では、当該第１の決定モジュールは特に、
【００４６】
【数１４】
0006052831.tif 000015
【００４７】
に従ってマルチメディアの参照品質を決定するように構成される。AV_MOSCはマルチメディアの参照品質であり、V_MOSCは参照ビデオ品質であり、A_MOSCは参照オーディオ品質であり、av1、av2、av3、およびav4は定数である。
【００４８】
当該第２の態様の可能な実装方式では、マルチメディア歪み品質はパケット紛失に起因するマルチメディア歪み品質および／または再バッファリングに起因するマルチメディア歪み品質を含み、当該第２の決定モジュールは特に、参照ビデオ品質とビデオ・パケット紛失率に従って、マルチメディアのビデオ内のパケットが紛失した後のパケット紛失に起因するビデオ品質を決定し、かつ／または、参照オーディオ品質とオーディオ・パケット紛失率に従って、マルチメディアのオーディオ内のパケットが紛失した後のパケット紛失に起因するオーディオ品質を決定し、パケット紛失に起因するビデオ品質および／またはパケット紛失に起因するオーディオ品質に従ってパケット紛失に起因するマルチメディア歪み品質を取得し、かつ／または、送信プロセス中のマルチメディアの再バッファリング・パラメータに従って再バッファリングに起因するマルチメディア歪み品質を取得するように構成される。
【００４９】
当該第２の態様の可能な実装方式では、当該第２の決定モジュールは特に、パケット紛失に起因するビデオ品質と参照ビデオ品質に従ってパケット紛失に起因するビデオ歪み品質を決定し、パケット紛失に起因するオーディオ品質と参照オーディオ品質に従ってオーディオ・パケット紛失歪み品質を決定し、パケット紛失に起因するビデオ歪み品質および参照ビデオ品質に従ってビデオ・パケット紛失歪み因子を決定し、オーディオ・パケット紛失歪み品質および参照オーディオ品質に従ってオーディオ・パケット紛失歪み因子を決定し、ビデオ・パケット紛失歪み因子およびオーディオ・パケット紛失歪み因子に従ってマルチメディアのパケット紛失歪み因子を決定し、マルチメディアのパケット紛失歪み因子とマルチメディアの参照品質に従ってパケット紛失に起因するマルチメディア歪み品質を決定するように構成される。
【００５０】
当該第２の態様の可能な実装方式では、当該第２の決定モジュールは特に、
【００５１】
【数１５】
0006052831.tif 000016
【００５２】
に従ってパケット紛失に起因するビデオ歪み品質V_DPを決定し、
【００５３】
【数１６】
0006052831.tif 000017
【００５４】
に従ってオーディオ・パケット紛失歪み品質A_DPを決定するように構成される。V_MOSCは参照ビデオ品質であり、Video_MOSはパケット紛失に起因するビデオ品質であり、A_MOSCは参照オーディオ品質であり、Audio_MOSはパケット紛失に起因するオーディオ品質である。
【００５５】
当該第２の態様の可能な実装方式では、当該第２の決定モジュールは特に、
【００５６】
【数１７】
0006052831.tif 000018
【００５７】
もしくは
【００５８】
【数１８】
0006052831.tif 000019
【００５９】
に従ってビデオ・パケット紛失歪み因子AV_DFVを決定し、かつ／または、
【００６０】
【数１９】
0006052831.tif 000020
【００６１】
もしくは
【００６２】
【数２０】
0006052831.tif 000021
【００６３】
に従ってオーディオ・パケット紛失歪み因子AV_DFAを決定するように構成される。V_MOSCは参照ビデオ品質であり、V_DPはパケット紛失に起因するビデオ歪み品質であり、A_MOSCは参照オーディオ品質であり、A_DPはオーディオ・パケット紛失歪み品質である。
【００６４】
当該第２の態様の可能な実装方式では、当該第２の決定モジュールは特に、
【００６５】
【数２１】
0006052831.tif 000022
【００６６】
または
【００６７】
【数２２】
0006052831.tif 000023
【００６８】
に従ってマルチメディアのパケット紛失歪み因子AV_DFを決定するように構成される。AV_DFAはオーディオ・パケット紛失歪み因子であり、AV_DFVはビデオ・パケット紛失歪み因子であり、av5、av6およびav7は定数である。
【００６９】
当該第２の態様の可能な実装方式では、当該第２の決定モジュールは特に、
【００７０】
【数２３】
0006052831.tif 000024
【００７１】
に従ってパケット紛失に起因するマルチメディア歪み品質AV_DPを決定するように構成される。AV_MOSCはマルチメディアの参照品質であり、MOS_MINはマルチメディアの最低品質であり、AV_DFはマルチメディアのパケット紛失歪み因子である。
【００７２】
当該第２の態様の可能な実装方式では、再バッファリング・パラメータは、再バッファリングの数、再バッファリング期間、複数の再バッファリングの間の影響因子、およびマルチメディア初期品質のうち１つまたは任意の組合せを含む。
【００７３】
当該第２の態様の可能な実装方式では、当該第２の決定モジュールは特に、
【００７４】
【数２４】
0006052831.tif 000025
【００７５】
に従って再バッファリングに起因するマルチメディア歪み品質を取得するように構成される。Audiovisual_Qualityはマルチメディア初期品質であり、NRは再バッファリングの数であり、ARLは再バッファリング期間であり、MRFは複数の再バッファリングの間の影響因子であり、av7乃至av12は定数である。
【００７６】
当該第２の態様の可能な実装方式では、当該第３の決定モジュールは特に、マルチメディアの参照品質とパケット紛失に起因するマルチメディア歪み品質に従ってパケット紛失に起因するマルチメディア品質を決定し、マルチメディアの参照品質またはパケット紛失に起因するマルチメディア品質、および再バッファリングに起因する歪み品質に従ってマルチメディアの品質を決定するように構成される。
【００７７】
当該第２の態様の可能な実装方式では、当該第３の決定モジュールは特に、
【００７８】
【数２５】
0006052831.tif 000026
【００７９】
に従ってパケット紛失に起因するマルチメディア品質AV_MOSPを決定するように構成される。AV_MOSCはマルチメディアの参照品質であり、AV_DPはパケット紛失に起因するマルチメディア歪み品質である。
【００８０】
当該第２の態様の可能な実装方式では、当該第３の決定モジュールは特に、
【００８１】
【数２６】
0006052831.tif 000027
【００８２】
に従ってマルチメディアの品質AV_MOSRを決定するように構成される。Audiovisual_Qualityはマルチメディアの参照品質またはパケット紛失に起因するマルチメディア品質であり、AV_DRは再バッファリングに起因する歪み品質である。
【００８３】
別の態様によれば、本発明の１実施形態ではさらに、マルチメディアを受信するように構成された受信モジュールを備えさらに本発明の当該実施形態で提供したマルチメディア品質監視装置を備えた端末を提供する。
【００８４】
別の態様によれば、本発明の１実施形態ではさらに、マルチメディアを受信するように構成された受信器を備えさらに本発明の当該実施形態で提供したマルチメディア品質監視方法を実行するように構成されたプロセッサを備えた端末を提供する。
【００８５】
別の態様によれば、本発明の１実施形態ではさらに、マルチメディアを受信するように構成された受信モジュールを備えさらに本発明の当該実施形態で提供したマルチメディア品質監視装置を備えたネットワーク装置を提供する。
【００８６】
別の態様によれば、本発明の１実施形態ではさらに、マルチメディアを受信するように構成された受信器を備えさらに本発明の当該実施形態で提供したマルチメディア品質監視方法を実行するように構成されたプロセッサを備えたネットワーク装置を提供する。
【００８７】
本発明の諸実施形態で提供するマルチメディア品質監視の方法および装置によれば、マルチメディアの参照品質がマルチメディアの参照ビデオ品質と参照オーディオ品質を用いて得られ、マルチメディアのビデオ歪みおよび／またはオーディオ歪みが発生した後のマルチメディア歪み品質が得られ、マルチメディアの品質がマルチメディアの参照品質とマルチメディア歪み品質に従って決定される。したがって、マルチメディア品質監視結果の正確性が高まる。
【００８８】
本発明の諸実施形態または先行技術の技術的解決策をより明確に説明するために、以下では諸実施形態または先行技術を説明するのに必要な添付図面を簡単に説明する。明らかに、下記の説明における添付図面は本発明の諸実施形態の一部を示すにすぎず、当業者は創造的作業なしにこれらの添付図面から他の図面を導出することができる。
【図面の簡単な説明】
【００８９】
【図１】本発明に従うマルチメディア品質監視方法の１実施形態の略構造図である。
【図２】本発明に従うマルチメディア品質監視方法のさらに別の実施形態の略構造図である。
【図３】本発明に従うマルチメディア品質監視装置の１実施形態の略構造図である。
【図４】本発明に従う端末の１実施形態の略構造図である。
【図５】本発明に従う端末のさらに別の実施形態の略構造図である。
【図６】本発明に従うネットワーク装置の１実施形態の略構造図である。
【図７】本発明に従うネットワーク装置のさらに別の実施形態の略構造図である。
【発明を実施するための形態】
【００９０】
本発明の諸実施形態の目的、技術的解決策、および利点をより明確にするために、以下では本発明の諸実施形態の添付図面を参照して本発明の諸実施形態の技術的解決策を明確かつ十分に説明する。明らかに、説明した諸実施形態は本発明の諸実施形態の全てではなく一部である。当業者が創造的作業なしに本発明の諸実施形態に基づいて取得する他の全ての実施形態は本発明の保護範囲に入るものとする。
【００９１】
本明細書で説明する技術を様々な通信システム、例えば、今日の２Ｇおよび３Ｇ通信システム、次世代通信システム、例えば、全地球測位システム（ＧＳＭ（登録商標）、Ｇｌｏｂａｌ  Ｓｙｓｔｅｍ  ｆｏｒ  Ｍｏｂｉｌｅ  Ｃｏｍｍｕｎｉｃａｔｉｏｎ）、符号分割多重アクセス（ＣＤＭＡ、Ｃｏｄｅ  Ｄｉｖｉｓｉｏｎ  Ｍｕｌｔｉｐｌｅ  Ａｃｃｅｓｓ）システム、時分割多重アクセス（ＴＤＭＡ、Ｔｉｍｅ  Ｄｉｖｉｓｉｏｎ  Ｍｕｌｔｉｐｌｅ  Ａｃｃｅｓｓ）システム、広帯域符号分割多重アクセス（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）システム、周波数分割多重アクセス（ＦＤＭＡ、Ｆｒｅｑｕｅｎｃｙ  Ｄｉｖｉｓｉｏｎ  Ｍｕｌｔｉｐｌｅ  Ａｄｄｒｅｓｓｉｎｇ）システム、直交周波数分割多重アクセス（ＯＦＤＭＡ、Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、シングル・キャリアＦＤＭＡ（ＳＣ−ＦＤＭＡ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロング・ターム・エボリューション（ＬＴＥ、Ｌｏｎｇ  Ｔｅｒｍ  Ｅｖｏｌｕｔｉｏｎ）システム、および他の同様な通信システムに適用してもよい。
【００９２】
本願の端末、即ち、ユーザ装置が無線端末または有線端末であってもよい。当該無線端末が、ユーザに音声および／またはデータ接続を提供し、ハンドヘルド装置に無線接続機能を提供する装置であってもよく、または、無線モデムに接続された別の処理装置であってもよい。当該無線端末が、（ＲＡＮ、Ｒａｄｉｏ  Ａｃｃｅｓｓ  Ｎｅｔｗｏｒｋのような）無線アクセス・ネットワークを介して１つまたは複数のコアネットワークと通信してもよい。当該無線端末が、音声および／またはデータを無線アクセス・ネットワークと交換する、携帯電話（「セルラ」電話とも呼ばれる）のような移動端末や移動端末を有するコンピュータであってもよく、例えば、ポータブル装置、ポケットサイズの装置、ハンドヘルド装置、コンピュータ組込み装置、または車載モバイル装置であってもよい。例えば、当該無線端末が、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話セット、セッション開始プロトコル（ＳＩＰ）電話、無線ローカル・ループ（ＷＬＬ、Ｗｉｒｅｌｅｓｓ  Ｌｏｃａｌ  Ｌｏｏｐ）端末、または携帯情報端末（ＰＤＡ、Ｐｅｒｓｏｎａｌ  Ｄｉｇｉｔａｌ  Ａｓｓｉｓｔａｎｔ）のような装置であってもよい。当該無線端末を、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動端末（Ｍｏｂｉｌｅ）、遠隔局（Ｒｅｍｏｔｅ  Ｓｔａｔｉｏｎ）、アクセス・ポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザ・エージェント（Ｕｓｅｒ  Ａｇｅｎｔ）、ユーザ装置（Ｕｓｅｒ  Ｄｅｖｉｃｅ）、またはユーザ機器（Ｕｓｅｒ  Ｅｑｕｉｐｍｅｎｔ）と称してもよい。
【００９３】
本願のネットワーク装置が、様々なネットワーク上の基地局、基地局コントローラ、アクセス・ポイント（Ａｃｃｅｓｓ  Ｐｏｉｎｔ、ＡＰ）のような様々なネットワーク・ノード装置、または、上述のアクセス・ポイントおよび基地局の背後にあるコントローラもしくは認証局のようなネットワーク要素であってもよい。
【００９４】
さらに、本明細書では「システム」と「ネットワーク」という用語を交互に使用することもある。本明細書では「および／または」という用語は、関連するものを記述する関連付け関係を示すにすぎず、３つの関係が存在しうることを表す。例えば、Ａおよび／またはＢは、Ａのみが存在する、ＡとＢの両方が存在する、およびＢのみが存在するという３つのケースを表すことができる。さらに、本明細書での「／」という文字は一般に、関連付けられたものの間の「または」の関係を表す。
【００９５】
図１は、本発明に従うマルチメディア品質監視方法の１実施形態の略構造図である。図１に示すように当該方法は以下を含む。Ｓ１０１で、マルチメディアの参照ビデオ品質と参照オーディオ品質に従ってマルチメディアの参照品質を決定する。Ｓ１０２で、マルチメディアのビデオ歪みおよび／またはオーディオ歪みが発生した後のマルチメディア歪み品質を取得する。Ｓ１０３で、マルチメディアの参照品質とマルチメディア歪み品質に従ってマルチメディアの品質を決定する。
【００９６】
本発明の当該実施形態のマルチメディアは、ビデオとオーディオを含む様々なマルチメディア・ファイル、例えば、ビデオ・オン・デマンド、ウェブ・テレビ、およびビデオ電話のようなサービス・プロセスを端末が実施するときに受信されるマルチメディア・データである。
【００９７】
マルチメディアを送信前にエンコードする必要があり、マルチメディア内のビデオ・データとオーディオ・データを一般に別々にエンコードする必要がある。エンコードの後、２つの伝送ストリーム、即ち、ビデオ・ストリームとオーディオ・ストリームを送信してもよく、または、インタリーブ式のパケット化をエンコードされたビデオ・データとエンコードされたオーディオ・データで実施してもよい。即ち、１つのパケットがビデオ・データだけでなくオーディオ・データも含み、ビデオ・データとオーディオ・データが１つの伝送ストリームで送信される。
【００９８】
ビデオ・データとオーディオ・データをエンコードした結果、歪みが或る程度発生しうるので、本発明の当該実施形態におけるマルチメディアの参照ビデオ品質が、ビデオ・エンコーディングをマルチメディア内のビデオ・データに実施した後のビデオ品質であってもよく、同様に、マルチメディアの参照オーディオ品質は、オーディオ・エンコーディングをマルチメディア内のオーディオ・データに実施した後のオーディオ品質であってもよい。
【００９９】
本発明の当該実施形態では、様々な既存の方法を使用して、マルチメディアの参照ビデオ品質と参照オーディオ品質に従ってマルチメディアの参照品質を決定してもよい。
【０１００】
場合によっては、マルチメディアの参照品質を
【０１０１】
【数２７】
0006052831.tif 000028
【０１０２】
に従って決定してもよい。Qav’はマルチメディアの参照品質、Qv_codingは参照ビデオ品質、Qa_codingは参照オーディオ品質、a1、a2、a3、およびa4は定数である。
【０１０３】
マルチメディア歪み品質が、パケット紛失に起因するマルチメディア歪み品質および／または再バッファリングに起因するマルチメディア歪み品質を含んでもよい。即ち、マルチメディア歪みが、マルチメディアの送信プロセス中に、ビデオ・パケット紛失および／またはオーディオ・パケット紛失によって生じてもよく、再バッファリングによって生じてもよい。マルチメディア歪みが、他の理由、例えば、送信チャネルのサービスの品質、オーディオ／ビデオ符号化器と送信チャネルに対するパラメータの間の調整のステータスによっても生じうることは理解される。当該サービスの品質には、帯域幅、時間遅延、ジッタ等が含まれうる。当該パラメータには、符号化方式、ビデオ解像度、ビデオ・フレーム速度等が含まれうる。
【０１０４】
したがって、パケット紛失に起因するビデオ品質をビデオ・データのパケット紛失ステータスに従って決定してもよく、または、マルチメディアのビデオ内のパケットが紛失した後のパケット紛失に起因するビデオ品質を参照ビデオ品質とビデオ・パケット紛失率に従って決定してもよく、パケット紛失に起因するビデオ品質を様々な既存の方法に従って決定してもよい。
【０１０５】
同様に、パケット紛失に起因するオーディオ品質をオーディオ・データのパケット紛失ステータスに従って決定してもよく、または、マルチメディアのオーディオ内のパケットが紛失した後のパケット紛失に起因するオーディオ品質を参照オーディオ品質とオーディオ・パケット紛失率に従って決定してもよく、パケット紛失に起因するオーディオ品質を様々な既存の方法に従って決定してもよい。
【０１０６】
さらに、パケット紛失に起因するマルチメディア歪み品質を、パケット紛失に起因するビデオ品質および／またはパケット紛失に起因するオーディオ品質に従って取得してもよい。
【０１０７】
場合によっては、パケット紛失に起因するビデオ歪み品質をパケット紛失に起因するビデオ品質と参照ビデオ品質に従って決定し、オーディオ・パケット紛失歪み品質をパケット紛失に起因するオーディオ品質と参照オーディオ品質に従って決定してもよい。例えば、パケット紛失に起因するビデオ歪み品質が、参照ビデオ品質とパケット紛失に起因するビデオ品質の差分であってもよく、同様に、オーディオ・パケット紛失歪み品質が参照オーディオ品質とパケット紛失に起因するオーディオ品質の差分であってもよい。
【０１０８】
さらに、ビデオ・パケット紛失歪み因子をさらにパケット紛失に起因するビデオ歪み品質と参照ビデオ品質に従って決定してもよく、オーディオ・パケット紛失歪み因子をオーディオ・パケット紛失歪み品質と参照オーディオ品質に従って決定してもよい。例えば、ビデオ・パケット紛失歪み因子がパケット紛失に起因するビデオ歪み品質の参照ビデオ品質に対する比率であってもよく、同様に、オーディオ・パケット紛失歪み因子がオーディオ・パケット紛失歪み品質の参照オーディオ品質に対する比率であってもよい。
【０１０９】
さらに、マルチメディアのパケット紛失歪み因子をビデオ・パケット紛失歪み因子とオーディオ・パケット紛失歪み因子に従って決定してもよい。例えば、マルチメディアのパケット紛失歪み因子が、ビデオ・パケット紛失歪み因子もしくはオーディオ・パケット紛失歪み因子と線形または非線形の関係を有してもよく、または、線形性および非線形性の組合せであってもよい。
【０１１０】
最後に、パケット紛失に起因するマルチメディア歪み品質をマルチメディアのパケット紛失歪み因子とマルチメディアの参照品質に従って決定してもよい。
【０１１１】
別の実現可能な実装方式として、再バッファリングの数、再バッファリング期間、および複数の再バッファリングの間の影響因子のような再バッファリング・パラメータをマルチメディアの送信プロセス中に取得してもよい。さらに、再バッファリングに起因するマルチメディア歪み品質が再バッファリング・パラメータに従って取得される。再バッファリング・パラメータまたは再バッファリング・パラメータの組合せが、再バッファリングに起因するマルチメディア歪み品質と線形または非線形の関係を有してもよく、または、線形性もしくは非線形性を組み合せた関係にあってもよい。
【０１１２】
マルチメディア歪み品質を決定した後、マルチメディアの品質をマルチメディアの参照品質とマルチメディア歪み品質に従って決定してもよい。マルチメディア歪み品質は、パケット紛失に起因するマルチメディア歪みベクトルを含んでもよく、または、再バッファリングに起因するマルチメディア歪み品質を含んでもよく、または、パケット紛失に起因するマルチメディア歪みベクトルと再バッファリングに起因するマルチメディア歪み品質を含んでもよい。
【０１１３】
具体的には、マルチメディアの送信プロセス中に、再バッファリングが生じずビデオ・パケット紛失および／またはオーディオ・パケット紛失のケースのみが生じた場合には、マルチメディア歪み品質がパケット紛失に起因するマルチメディア歪み品質のみを含んでもよい。マルチメディアの送信プロセス中に、再バッファリングが生じたがビデオ・パケット紛失および／またはオーディオ・パケット紛失のケースが生じなかった場合には、マルチメディア歪み品質が再バッファリングに起因するマルチメディア歪み品質のみを含んでもよい。マルチメディアの送信プロセス中に、再バッファリングが生じただけでなく、ビデオ・パケット紛失および／またはオーディオ・パケット紛失のケースも生じた場合には、マルチメディア歪み品質は再バッファリングに起因するマルチメディア歪み品質を含むだけでなく、パケット紛失に起因するマルチメディア歪み品質も含む。
【０１１４】
本実施形態で提供するマルチメディア品質監視方法によれば、マルチメディアの参照品質がマルチメディアの参照ビデオ品質と参照オーディオ品質を用いて得られ、マルチメディアのビデオ歪みおよび／またはオーディオ歪みが発生した後のマルチメディア歪み品質が得られ、マルチメディアの品質がマルチメディアの参照品質とマルチメディア歪み品質に従って決定される。したがって、マルチメディア品質監視結果の正確性が高まる。
【０１１５】
図２は本発明に従うマルチメディア品質監視方法の別の実施形態の略構造図である。図２に示すように、当該方法は以下を含む。
【０１１６】
Ｓ２０１で、マルチメディアの参照ビデオ品質V_MOSCと参照オーディオ品質A_MOSCを取得する。
【０１１７】
Ｓ２０２で、参照ビデオ品質とビデオ・パケット紛失率に従って、マルチメディアのビデオ内のパケットが紛失した後のパケット紛失に起因するビデオ品質を決定し、参照オーディオ品質とオーディオ・パケット紛失率に従って、マルチメディアのオーディオ内のパケットが紛失した後のパケット紛失に起因するオーディオ品質を決定する。
【０１１８】
Ｓ２０３で、パケット紛失に起因するビデオ品質と参照ビデオ品質に従ってパケット紛失に起因するビデオ歪み品質を決定し、パケット紛失に起因するオーディオ品質と参照オーディオ品質に従ってオーディオ・パケット紛失歪み品質を決定する。
【０１１９】
場合によっては、パケット紛失に起因するビデオ歪み品質V_DPを
【０１２０】
【数２８】
0006052831.tif 000029
【０１２１】
に従って決定してもよい。V_MOSCは参照ビデオ品質であり、Video_MOSはパケット紛失に起因するビデオ品質である。ビデオ・パケット紛失のケースが生じなかった場合には、Video_MOSは参照ビデオ品質に等しいことに留意されたい。
【０１２２】
同様に、オーディオ・パケット紛失歪み品質A_DPを
【０１２３】
【数２９】
0006052831.tif 000030
【０１２４】
に従って決定してもよい。A_MOSCは参照オーディオ品質であり、Audio_MOSはパケット紛失に起因するオーディオ品質である。オーディオ・パケット紛失のケースが生じなかった場合には、Audio_MOSは参照オーディオ品質に等しいことに留意されたい。
【０１２５】
パケット紛失歪みの後のビデオ品質Video_MOまたはパケット紛失に起因するビデオ歪み品質V_DPと、パケット紛失の後のマルチメディアのオーディオ品質Audio_MOSまたはオーディオ・パケット紛失歪み品質A_DPを取得する。
【０１２６】
上述のパケット紛失の後のマルチメディアのビデオ品質が、マルチメディアの参照ビデオ品質またはマルチメディアのパケット紛失に起因するビデオ品質であってもよい。即ち、パケット紛失がマルチメディアのビデオで発生しなかった場合には、当該品質は参照品質であり、パケット紛失が生じた場合には、当該品質はパケット紛失品質である。
【０１２７】
上述のパケット紛失の後のマルチメディアのオーディオ品質が、マルチメディアの参照オーディオ品質またはマルチメディアのパケット紛失に起因するオーディオ品質であってもよい。即ち、パケット紛失がマルチメディアのオーディオで発生しなかった場合には、当該品質は参照品質であり、パケット紛失が生じた場合には、当該品質はパケット紛失品質である。
【０１２８】
パケット紛失に起因するビデオ歪み品質が、参照ビデオ品質からパケット紛失に起因するビデオ品質を引いたものに等しくてもよい。
【０１２９】
同様に、オーディオ・パケット紛失歪み品質が、参照オーディオ品質からパケット紛失に起因するオーディオ品質を引いたものに等しくてもよい。
【０１３０】
Ｓ２０４で、マルチメディアの参照ビデオ品質と参照オーディオ品質に従ってマルチメディアの参照品質（AV_MOSC）を決定する。マルチメディアの参照品質を、様々な既存の方法を用いて決定してもよい。
【０１３１】
場合によっては、マルチメディアの参照品質を
【０１３２】
【数３０】
0006052831.tif 000031
【０１３３】
に従って決定してもよい。
【０１３４】
AV_MOSCはマルチメディアの参照品質であり、V_MOSCは参照ビデオ品質であり、A_MOSCは参照オーディオ品質であり、av1、av2、av3、およびav4は定数である。
【０１３５】
Ｓ２０５で、パケット紛失に起因するビデオ歪み品質（V_DP）およびマルチメディアの参照ビデオ品質（V_MOSC）に従ってマルチメディアのビデオ・パケット紛失歪み因子（AV_DFV）を決定し、マルチメディアのオーディオ・パケット紛失歪み品質（A_DP）と参照オーディオ品質（A_MOSC）に従ってマルチメディアのオーディオ・パケット紛失歪み因子（AV_DFA）を決定する。
【０１３６】
場合によっては、マルチメディアのビデオ・パケット紛失歪み因子（AV_DFV）を
【０１３７】
【数３１】
0006052831.tif 000032
【０１３８】
または
【０１３９】
【数３２】
0006052831.tif 000033
【０１４０】
に従って決定してもよい。V_MOSCは参照ビデオ品質であり、V_DPはビデオ歪みマルチメディアの品質である。
【０１４１】
同様に、マルチメディアのオーディオ・パケット紛失歪み因子（AV_DFA）を
【０１４２】
【数３３】
0006052831.tif 000034
【０１４３】
または
【０１４４】
【数３４】
0006052831.tif 000035
【０１４５】
に従って決定してもよい。A_MOSCは参照オーディオ品質であり、A_DPはマルチメディアのオーディオ歪み品質である。
【０１４６】
Ｓ２０６で、マルチメディアのビデオ・パケット紛失歪み因子（AV_DFV）とマルチメディアのオーディオ・パケット紛失歪み因子（AV_DFA）に従ってマルチメディアのパケット紛失歪み因子（AV_DF）を決定する。
【０１４７】
マルチメディアのビデオ・パケット紛失歪み因子の値および／またはマルチメディアのオーディオ・パケット紛失歪み因子の値が増大したときにマルチメディアのパケット紛失歪み因子が増大してもよく、マルチメディアのパケット紛失歪み因子が、マルチメディアのビデオ・パケット紛失歪み因子および／またはマルチメディアのオーディオ・パケット紛失歪み因子と線形または非線形の関係を有してもよく、または、マルチメディアのビデオ・パケット紛失歪み因子および／またはマルチメディアのオーディオ・パケット紛失歪み因子と、線形性および非線形性を組み合せた関係を有してもよい。
【０１４８】
場合によっては、マルチメディアのパケット紛失歪み因子（AV_DF）を
【０１４９】
【数３５】
0006052831.tif 000036
【０１５０】
または
【０１５１】
【数３６】
0006052831.tif 000037
【０１５２】
に従って決定してもよい。
【０１５３】
AV_DFAはマルチメディアのオーディオ・パケット紛失歪み因子であり、AV_DFVはマルチメディアのビデオ・パケット紛失歪み因子であり、av5、av6、およびav7は定数である。
【０１５４】
Ｓ２０７で、マルチメディアのパケット紛失歪み因子とマルチメディアの参照品質に従って、マルチメディアのビデオ・パケット紛失歪みおよび／またはオーディオ・パケット紛失歪みの後のパケット紛失に起因するマルチメディア歪み品質を決定する。
【０１５５】
場合によっては、マルチメディアのビデオ・パケット紛失歪みおよび／またはオーディオ・パケット紛失歪みの後のパケット紛失に起因するマルチメディア歪み品質AV_DPを
【０１５６】
【数３７】
0006052831.tif 000038
【０１５７】
に従って決定してもよい。AV_MOSCはマルチメディアの参照品質であり、MOS_MINはマルチメディアの最低品質であり、例えば、MOS_MINを１に設定してもよい。AV_DFはマルチメディアのパケット紛失歪み因子である。
【０１５８】
Ｓ２０８で、マルチメディアの参照品質とビデオ・パケット紛失歪みおよび／またはオーディオ・パケット紛失歪みの後のパケット紛失に起因するマルチメディア歪み品質とに従って、パケット紛失に起因するマルチメディア品質を決定する。
【０１５９】
場合によっては、パケット紛失に起因するマルチメディア品質AV_MOSPを
【０１６０】
【数３８】
0006052831.tif 000039
【０１６１】
に従って決定してもよい。AV_MOSCはマルチメディアの参照品質であり、AV_DPはビデオ・パケット紛失歪みおよび／またはオーディオ・パケット紛失歪みの後のパケット紛失に起因するマルチメディア歪み品質である。
【０１６２】
Ｓ２０９で、送信プロセス中のマルチメディアの再バッファリング・パラメータに従って再バッファリングに起因するマルチメディア歪み品質を取得する。
【０１６３】
再バッファリング・パラメータは、再バッファリングの数（NR）、再バッファリング期間（ARL）、複数の再バッファリングの間の影響因子（MRF）、およびマルチメディア初期品質のうち１つまたは任意の組合せを含む。再バッファリングに起因するマルチメディア歪み品質が計算される。再バッファリング期間が複数の再バッファリングの平均期間であってもよく、または、複数の平均の全期間であってもよい。
【０１６４】
場合によっては、再バッファリングに起因するマルチメディア歪み品質AV_DRを
【０１６５】
【数３９】
0006052831.tif 000040
【０１６６】
に従って決定してもよい。av7乃至a12は定数であり、Audiovisual_Qualityはマルチメディア初期品質である。
【０１６７】
具体的には、マルチメディア初期品質がマルチメディアの参照品質またはパケット紛失に起因するマルチメディア品質であってもよい。即ち、パケット紛失がマルチメディアで発生しなかった場合には、マルチメディア初期品質が当該参照品質であってもよく、パケット紛失が生じた場合には、マルチメディア初期品質がパケット紛失に起因するマルチメディア品質であってもよい。
【０１６８】
Ｓ２１０で、マルチメディアの参照品質またはパケット紛失に起因するマルチメディア品質、および再バッファリングに起因する歪み品質に従ってマルチメディアの品質を決定する。
【０１６９】
場合によっては、マルチメディアの再バッファリング品質AV_MOSRを
【０１７０】
【数４０】
0006052831.tif 000041
【０１７１】
に従って決定してもよい。Audiovisual_Qualityはマルチメディアの参照品質またはパケット紛失に起因するマルチメディア品質であり、AV_DRは再バッファリングに起因する歪み品質である。マルチメディア初期品質がマルチメディアの参照品質またはパケット紛失に起因するマルチメディア品質であってもよい。即ち、パケット紛失がマルチメディアで発生しなかった場合には、マルチメディア初期品質が当該参照品質であってもよく、パケット紛失が生じた場合には、マルチメディア初期品質がパケット紛失に起因するマルチメディア品質であってもよい。
【０１７２】
本実施形態で提供するマルチメディア品質監視方法によれば、マルチメディアの参照品質がマルチメディアの参照ビデオ品質と参照オーディオ品質を用いて得られ、パケット紛失に起因するマルチメディア歪み品質がパケット紛失の後のマルチメディアのビデオ品質とパケット紛失の後のマルチメディアのオーディオ品質を用いて決定され、再バッファリングに起因するマルチメディア歪み品質が再バッファリング・パラメータを用いて得られ、最後に、マルチメディアの最終的な品質がマルチメディアの参照品質、および／またはパケット紛失に起因するマルチメディア歪み品質および／または再バッファリングに起因するマルチメディア歪み品質に従って決定される。したがって、マルチメディア品質監視結果の正確性が高まる。
【０１７３】
図３は本発明に従うマルチメディア品質監視装置の１実施形態の略構造図である。図３に示すように、マルチメディア品質監視装置は、第１の決定モジュール１１、第２の決定モジュール１２、および第３の決定モジュール１３を備える。
【０１７４】
第１の決定モジュール１１は、マルチメディアの参照ビデオ品質と参照オーディオ品質に従ってマルチメディアの参照品質を決定するように構成される。
【０１７５】
第２の決定モジュール１２は、マルチメディアのビデオ歪みおよび／またはオーディオ歪みが発生した後のマルチメディア歪み品質を取得するように構成される。
【０１７６】
第３の決定モジュール１３は、マルチメディアの参照品質とマルチメディア歪み品質に従ってマルチメディアの品質を決定するように構成される。
【０１７７】
場合によっては、第１の決定モジュール１１を特に、マルチメディアの参照品質を
【０１７８】
【数４１】
0006052831.tif 000042
【０１７９】
に従って決定するように構成してもよい。AV_MOSCはマルチメディアの参照品質であり、V_MOSCは参照ビデオ品質であり、A_MOSCは参照オーディオ品質であり、av1、av2、av3、およびav4は定数である。
【０１８０】
場合によっては、マルチメディア歪み品質が、パケット紛失に起因するマルチメディア歪み品質および／または再バッファリングに起因するマルチメディア歪み品質を含んでもよい。第２の決定モジュール１２を特に、参照ビデオ品質とビデオ・パケット紛失率に従って、マルチメディアのビデオ内のパケットが紛失した後のパケット紛失に起因するビデオ品質を決定し、参照オーディオ品質とオーディオ・パケット紛失率に従って、マルチメディアのオーディオ内のパケットが紛失した後のパケット紛失に起因するオーディオ品質を決定し、パケット紛失に起因するビデオ品質および／またはパケット紛失に起因するオーディオ品質に従ってパケット紛失に起因するマルチメディア歪み品質を取得し、かつ／または、送信プロセス中のマルチメディアの再バッファリング・パラメータに従って再バッファリングに起因するマルチメディア歪み品質を取得するように構成してもよい。
【０１８１】
場合によっては、第２の決定モジュール１２を特に、パケット紛失に起因するビデオ品質と参照ビデオ品質に従ってパケット紛失に起因するビデオ歪み品質を決定し、パケット紛失に起因するオーディオ品質と参照オーディオ品質に従ってオーディオ・パケット紛失歪み品質を決定し、パケット紛失に起因するビデオ歪み品質と参照ビデオ品質に従ってビデオ・パケット紛失歪み因子を決定し、オーディオ・パケット紛失歪み品質と参照オーディオ品質に従ってオーディオ・パケット紛失歪み因子を決定し、ビデオ・パケット紛失歪み因子とオーディオ・パケット紛失歪み因子に従ってマルチメディアのパケット紛失歪み因子を決定し、マルチメディアのパケット紛失歪み因子とマルチメディアの参照品質に従ってパケット紛失に起因するマルチメディア歪み品質を決定するように構成してもよい。
【０１８２】
場合によっては、第２の決定モジュール１２を特に、
【０１８３】
【数４２】
0006052831.tif 000043
【０１８４】
に従ってパケット紛失に起因するビデオ歪み品質V_DPを決定し、
【０１８５】
【数４３】
0006052831.tif 000044
【０１８６】
に従ってオーディオ・パケット紛失歪み品質A_DPを決定するように構成してもよい。V_MOSCは参照ビデオ品質であり、Video_MOSはパケット紛失に起因するビデオ品質であり、A_MOSCは参照オーディオ品質であり、Audio_MOSはパケット紛失に起因するオーディオ品質である。
【０１８７】
場合によっては、第２の決定モジュール１２を特に、
【０１８８】
【数４４】
0006052831.tif 000045
【０１８９】
もしくは
【０１９０】
【数４５】
0006052831.tif 000046
【０１９１】
に従ってビデオ・パケット紛失歪み因子AV_DFVを決定し、かつ／または
【０１９２】
【数４６】
0006052831.tif 000047
【０１９３】
もしくは
【０１９４】
【数４７】
0006052831.tif 000048
【０１９５】
に従ってオーディオ・パケット紛失歪み因子AV_DFAを決定するように構成してもよい。V_MOSCは参照ビデオ品質であり、V_DPはパケット紛失に起因するビデオ歪み品質であり、A_MOSCは参照オーディオ品質であり、A_DPはオーディオ・パケット紛失歪み品質である。
【０１９６】
場合によっては、第２の決定モジュール１２をさらに、特に、
【０１９７】
【数４８】
0006052831.tif 000049
【０１９８】
または
【０１９９】
【数４９】
0006052831.tif 000050
【０２００】
に従ってマルチメディアのパケット紛失歪み因子AV_DFを決定するように構成してもよい。AV_DFAはオーディオ・パケット紛失歪み因子であり、AV_DFVはビデオ・パケット紛失歪み因子であり、av5、av6およびav7は定数である。
【０２０１】
場合によっては、第２の決定モジュール１２を特に、
【０２０２】
【数５０】
0006052831.tif 000051
【０２０３】
に従ってパケット紛失に起因するマルチメディア歪み品質AV_DPを決定するように構成してもよい。AV_MOSCはマルチメディアの参照品質であり、MOS_MINはマルチメディアの最低品質であり、AV_DFはマルチメディアのパケット紛失歪み因子である。
【０２０４】
場合によっては、再バッファリング・パラメータが、再バッファリングの数、再バッファリング期間、複数の再バッファリングの間の影響因子、およびマルチメディア初期品質のうち１つまたは任意の組合せを含んでもよい。
【０２０５】
場合によっては、第２の決定モジュール１２を特に、
【０２０６】
【数５１】
0006052831.tif 000052
【０２０７】
に従って再バッファリングに起因するマルチメディア歪み品質を取得するように構成してもよい。Audiovisual_Qualityはマルチメディア初期品質であり、NRは再バッファリングの数であり、ARLは再バッファリング期間であり、MRFは複数の再バッファリングの間の影響因子であり、av7乃至av12は定数である。
【０２０８】
場合によっては、第３の決定モジュール１３を特に、マルチメディアの参照品質とパケット紛失に起因するマルチメディア歪み品質に従ってパケット紛失に起因するマルチメディア品質を決定し、マルチメディアの参照品質またはパケット紛失に起因するマルチメディア品質および再バッファリングに起因する歪み品質に従ってマルチメディアの品質を決定するように構成してもよい。
【０２０９】
場合によっては、第３の決定モジュール１３を特に、
【０２１０】
【数５２】
0006052831.tif 000053
【０２１１】
に従ってパケット紛失に起因するマルチメディア品質AV_MOSPを決定するように構成してもよい。AV_MOSCはマルチメディアの参照品質であり、AV_DPはパケット紛失に起因するマルチメディア歪み品質である。
【０２１２】
場合によっては、第３の決定モジュール１３を特に、
【０２１３】
【数５３】
0006052831.tif 000054
【０２１４】
に従ってマルチメディアの品質AV_MOSRを決定するように構成してもよい。Audiovisual_Qualityはマルチメディアの参照品質またはパケット紛失に起因するマルチメディア品質であり、AV_DRは再バッファリングに起因する歪み品質である。
【０２１５】
本発明の当該実施形態で提供したマルチメディア品質監視装置は、本発明の実施形態で提供したマルチメディア品質監視方法に対応し、マルチメディア品質監視方法を実行するための装置である。当該装置によりマルチメディア品質監視方法を実行するプロセスについては、方法の諸実施形態を参照されたい。詳細についてはここでは繰返し説明することはしない。
【０２１６】
本発明の当該実施形態で提供したマルチメディア品質監視装置によれば、マルチメディアの参照品質がマルチメディアの参照ビデオ品質と参照オーディオ品質を用いて得られ、パケット紛失に起因するマルチメディア歪み品質がパケット紛失の後のマルチメディアのビデオ品質とパケット紛失の後のマルチメディアのオーディオ品質を用いて決定され、再バッファリングに起因するマルチメディア歪み品質が再バッファリング・パラメータを用いて得られ、最後に、マルチメディアの最終的な品質がマルチメディアの参照品質、および／またはパケット紛失に起因するマルチメディア歪み品質および／または再バッファリングに起因するマルチメディア歪み品質に従って決定される。したがって、マルチメディア品質監視結果の正確性が高まる。
【０２１７】
図４は、本発明に従う端末の１実施形態の略構造図である。図４に示すように、当該端末は受信モジュール２１とマルチメディア品質監視装置２２を備える。受信モジュール２１はマルチメディアを受信するように構成される。
【０２１８】
マルチメディア品質監視装置２２の構造とマルチメディア品質監視装置２２内のモジュールの機能については、図３に示した実施形態における関連説明を参照されたい。詳細についてはここでは繰返し説明することはしない。
【０２１９】
図５は本発明に従う端末のさらに別の実施形態の略構造図である。図５に示すように、当該端末は受信器３１とプロセッサ３２を備える。受信器３１はマルチメディアを受信するように構成される。
【０２２０】
プロセッサ３２は、本発明の図１と図２で示した、諸実施形態で提供したマルチメディア品質監視方法を実行することができる。プロセッサ３２によりマルチメディア品質監視方法を実行する具体的なプロセスについては、図１と図２に示した諸実施形態における関連説明を参照されたい。詳細についてはここでは繰返し説明することはしない。
【０２２１】
本発明の当該実施形態で提供した端末によれば、マルチメディアの参照品質がマルチメディアの参照ビデオ品質と参照オーディオ品質を用いて得られ、マルチメディア歪みの後のマルチメディア品質がマルチメディアのビデオ歪みの後のビデオ品質およびマルチメディアのオーディオ歪みの後のオーディオ品質を用いて決定され、最後に、マルチメディアの品質が当該歪みの後のマルチメディアの参照品質とマルチメディア品質に従って決定される。したがって、マルチメディア品質監視結果の正確性が高まる。
【０２２２】
図６は、本発明に従うネットワーク装置の１実施形態の略構造図である。図６に示すように、当該ネットワーク装置は受信モジュール４１とマルチメディア品質監視装置４２を備える。受信モジュール４１はマルチメディアを受信するように構成される。
【０２２３】
マルチメディア品質監視装置４２の構造とマルチメディア品質監視装置４２内のモジュールの機能については、図３に示した実施形態における関連説明を参照されたい。詳細についてはここでは繰返し説明することはしない。
【０２２４】
図７は、本発明に従うネットワーク装置のさらに別の実施形態の略構造図である。図７に示すように、当該ネットワーク装置は受信器５１とプロセッサ５２を備える。受信器５１はマルチメディアを受信するように構成される。
【０２２５】
プロセッサ５２が、本発明の図１と図２で示した諸実施形態で提供したマルチメディア品質監視方法を実行することができる。プロセッサ５２がマルチメディア品質監視方法を実行する具体的なプロセスについては、図１と図２で示した諸実施形態における関連説明を参照されたい。詳細についてはここでは繰返し説明することはしない。
【０２２６】
本発明の当該実施形態で提供するネットワーク装置によれば、マルチメディアの参照品質がマルチメディアの参照ビデオ品質と参照オーディオ品質を用いて得られ、パケット紛失に起因するマルチメディア歪み品質がパケット紛失の後のマルチメディアのビデオ品質とパケット紛失の後のマルチメディアのオーディオ品質を用いて決定され、再バッファリングに起因するマルチメディア歪み品質が再バッファリング・パラメータを用いて得られ、最後に、マルチメディアの最終的な品質がマルチメディアの参照品質、および／またはパケット紛失に起因するマルチメディア歪み品質および／または再バッファリングに起因するマルチメディア歪み品質に従って決定される。したがって、マルチメディア品質監視結果の正確性が高まる。
【０２２７】
説明の便宜および簡単さの目的のため、上述の機能モジュールの分割は説明のための例として捉えられることは当業者には明らかに理解される。実際の適用では、上述の機能を必要に応じて様々な機能モジュールに割り当て実装してもよい。即ち、装置の内部構造は上述の機能の全部または一部を実装するために様々な機能モジュールに分割される。上述のシステム、装置、およびユニットの具体的な動作プロセスについては、上述の方法の諸実施形態における対応するプロセスを参照されたい。詳細についてはここでは繰返し説明することはしない。
【０２２８】
本願で提供した幾つかの実施形態では、開示したシステム、装置、および方法を他の方式で実装してもよいことは理解される。例えば、説明した装置の実施形態は例にすぎない。例えば、モジュールまたはユニットの分割は単なる論理的な機能分割にすぎず、実際の実装では他の分割であってもよい。例えば、複数のユニットまたはコンポーネントを別のシステムに組み合わせるかもしくは統合してもよく、または、幾つかの機能を無視するかまたは実施しなくともよい。さらに、説明または議論した相互結合または直接結合または通信接続を幾つかのインタフェースを介して実装してもよい。装置またはユニットの間の当該間接接続または通信接続を電子的形態、機械的形態、または他の形態で実装してもよい。
【０２２９】
別々の部分として説明したユニットが物理的に別々であってもなくてもよく、ユニットとして表示した部分が物理ユニットであってもなくてもよく、１つの位置に配置されてもよく、または、複数のネットワーク・ユニットに分散させてもよい。当該ユニットの一部または全部を実際の必要性に応じて選択して、諸実施形態の解決策の目的を実現してもよい。
【０２３０】
さらに、本発明の諸実施形態の機能ユニットを１つの処理ユニットに統合してもよく、または、当該ユニットの各々が物理的に単体で存在してもよく、または、複数のユニットが１つのユニットに統合される。当該統合ユニットをハードウェアの形態で実装してもよく、または、ソフトウェア機能ユニットの形態で実装してもよい。
【０２３１】
当該統合ユニットをソフトウェア機能ユニットの形で実装し独立な製品として販売または使用するときには、当該ユニットをコンピュータ可読記憶媒体に格納してもよい。かかる理解のもと、本発明の技術的解決策を本質的に、または先行技術に寄与する部分、または当該技術的解決策の全部もしくは一部をソフトウェア製品の形で実装してもよい。当該ソフトウェア製品は記憶媒体に格納され、（パーソナル・コンピュータ、サーバ、またはネットワーク装置であってもよい）コンピュータ装置またはプロセッサに本発明の諸実施形態で説明した方法の諸ステップの全部または一部を実施させるように指示するための幾つかの命令を含む。上述の記憶媒体には、ＵＳＢフラッシュ・ドライブ、取外し可能ハード・ディスク、読取専用メモリ（ＲＯＭ、Ｒｅａｄ−Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、磁気ディスク、または光ディスクのような、プログラム・コードを格納できる任意の媒体が含まれる。
【０２３２】
上述の諸実施形態は本発明の技術的解決策を説明することを意図したものにすぎず、本発明を限定するためのものではない。上述の諸実施形態を参照して本発明を詳細に説明したが、本発明の諸実施形態の技術的解決策の趣旨と範囲から逸脱せずに、上述の諸実施形態で説明した技術的解決策に修正を加え、または、その幾つかの技術的機能に均等な置換えを行ってもよいことは当業者には理解される。
【符号の説明】
【０２３３】
１１  第１の決定モジュール
１２  第２の決定モジュール
１３  第３の決定モジュール
２１  受信モジュール
２２  マルチメディア品質監視装置
３１  受信器
３２  プロセッサ
４１  受信モジュール
４２  マルチメディア品質監視装置
５１  受信器
５２  プロセッサ
【図１】
0006052831.tif 000081
【図２】
0006052831.tif 000082
【図３】
0006052831.tif 000083
【図４】
0006052831.tif 000084
【図５】
0006052831.tif 000085
【図６】
0006052831.tif 000086
【図７】
0006052831.tif 000087